(57)【要約】【課題】非線形量子化を用いて各画素の輝度値の積算値を記録するときのメモリ容量をおよび量子化誤差を低減すること。【解決手段】本発明の表示装置の記録装置は、フレーム毎に複数の画素の輝度値を指定する画像データに基づいて各画素の輝度値を積算した積算値を表す情報を記録する記録装置であって、基準となる第１画素の輝度値を積算した積算値を記録する手段と、第１画素以外の第２画素の輝度値を積算した積算値を、当該積算値と当該第２画素より前に入力された画素に対応する積算値との差分の量子化値として記録し、量子化ステップと量子化誤差とに基づいて決められるフレームにおいては量子化値を補正して記録する手段と、を備えることを特徴とする。【選択図】図３
2015092645.tif 000002
【特許請求の範囲】
【請求項１】
フレーム毎に複数の画素の輝度値を指定する画像データに基づいて各画素の輝度値を積算した積算値を表す情報を記録する記録装置であって、
基準となる第１画素の輝度値を積算した積算値を記録する手段と、
前記第１画素以外の第２画素の輝度値を積算した積算値を、当該積算値と当該第２画素より前に入力された画素に対応する積算値との差分の量子化値として記録し、量子化ステップと量子化誤差とに基づいて決められるフレームにおいては前記量子化値を補正して記録する手段と、
を備えることを特徴とする記録装置。
【請求項２】
前記第１画素は、マトリクス状に配置された前記画素のうち、各行において最初に前記画像データに指定される画素であることを特徴とする請求項１に記載の記録装置。
【請求項３】
前記第２画素の輝度値を積算した積算値は、前記画像データに指定される前記第２画素の直前に入力された画素に対応する積算値との差分の量子化値として記録されることを特徴とする請求項１または２に記載の記録装置。
【請求項４】
複数の画素により画像を表示する有する表示パネルと、
請求項１乃至請求項３のいずれかに記載の記録装置と、
前記記録装置に記録された前記積算値および前記量子化値から得られる各画素に対応する積算値に基づいて、前記画像データによって指定される各画素の輝度値を補正して、前記表示パネルを駆動する駆動部と、
を備えることを特徴とする表示装置。
【請求項５】
フレーム毎に複数の画素の輝度値を指定する画像データに基づいて各画素の輝度値を積算した積算値を表す情報を記録する記録方法であって、
基準となる第１画素の輝度値を積算した積算値を記録し、
前記第１画素以外の第２画素の輝度値を積算した積算値を、当該積算値と当該第２画素より前に入力された画素に対応する積算値との差分の量子化値として記録し、量子化ステップと量子化誤差とに基づいて決められるフレームにおいては前記量子化値を補正して記録することを特徴とする記録方法。
【発明の詳細な説明】
【技術分野】
【０００１】
本発明は、自発光素子の焼き付きによる表示の劣化を抑制する技術に関する。
【背景技術】
【０００２】
ＯＬＥＤ（Ｏｒｇａｎｉｃ  Ｌｉｇｈｔ  Ｅｍｉｔｔｉｎｇ  Ｄｉｏｄｅ）ディスプレイなどの自発光による表示装置は、表示させた画像によっては、焼き付き現象が発生する。例えば、同じ画像を表示し続けると、輝度の高い画素が輝度の低い画素に比べて、発光素子の劣化が進行する。この結果、別の画像を表示したときに、その劣化の程度に応じた画像が表示され、以前に表示し続けた画像が見えてしまう。この現象を焼き付きという。
【０００３】
このような焼き付き現象を回避するために、各画素における輝度値を積算し、この積算値に基づいて補正係数を適用して、各画素の発光輝度を補正することが行われている。一般的に表示装置は、十年から十数年の寿命が要求されるため、この期間にわたって全ての画素の輝度値の積算値を積算していくと、条件にもよるが、各画素において４０〜５０ビットのメモリ容量を要する。表示装置の画素数を考慮すると、大容量のメモリと大量のデータを転送し得る広い帯域幅の転送経路が課題となる。
【０００４】
この課題を解決するために、積算の粒度を下げる、例えば、４×４の画素のブロックを一つの積算の単位とする方法、数フレームおきに積算を行う方法などが用いられている。また、量子化によるビット数の低減等も用いられている。データ圧縮時に線形量しかを行う場合には、量子化ステップが均等であるため、ダイナミックレンジが大きい信号に対して、信号振幅が小さいときの分解能が悪くなる。一方、振幅が大きいところは量子化ステップを大きく、振幅が小さいところは量子化ステップを小さくするような非線形量子化を用いると、振幅の大きさに関係なくＳ／Ｎ比がほぼ一定になるという利点があるが、振幅が大きいときの量子化誤差が大きくなるという欠点もある。量子化誤差を低減する方法が、例えば、特許文献１、２に開示されている。
【先行技術文献】
【特許文献】
【０００５】
【特許文献１】特開２００９−２０６７３７号公報
【特許文献２】特開平１０−０５１７６８号公報
【発明の概要】
【発明が解決しようとする課題】
【０００６】
特許文献１、２に開示された技術では、量子化誤差の低減をすることができる一方、直交変換が必要であったり、余分な転送帯域およびメモリ容量が必要であったりする。そのため、表示装置における焼き付きの低減に適用することが困難である。
【０００７】
本発明の目的の一つは、非線形量子化を用いて各画素の輝度値の積算値を記録するときのメモリ容量をおよび量子化誤差を低減することにある。
【課題を解決するための手段】
【０００８】
本発明の一実施形態によると、フレーム毎に複数の画素の輝度値を指定する画像データに基づいて各画素の輝度値を積算した積算値を表す情報を記録する記録装置であって、基準となる第１画素の輝度値を積算した積算値を記録する手段と、前記第１画素以外の第２画素の輝度値を積算した積算値を、当該積算値と当該第２画素より前に入力された画素に対応する積算値との差分の量子化値として記録し、量子化ステップと量子化誤差とに基づいて決められるフレームにおいては前記量子化値を補正して記録する手段と、を備えることを特徴とする記録装置が提供される。
【０００９】
この記録装置によれば、非線形量子化を用いて各画素の輝度値の積算値を記録するときのメモリ容量をおよび量子化誤差を低減することができる。
【００１０】
また、別の好ましい態様において、前記第１画素は、マトリクス状に配置された前記画素のうち、各行において最初に前記画像データに指定される画素であってもよい。
【００１１】
この記録装置によれば、効率的に積算値を記録することができる。
【００１２】
また、別の好ましい態様において、前記第２画素の輝度値を積算した積算値は、前記画像データに指定される前記第２画素の直前に入力された画素に対応する積算値との差分の量子化値として記録されてもよい。
【００１３】
この記録装置によれば、効率的に積算値を記録することができる。
【００１４】
本発明の一実施形態によると、複数の画素により画像を表示する有する表示パネルと、請求項１乃至請求項３のいずれかに記載の記録装置と、前記記録装置に記録された前記積算値および前記量子化値から得られる各画素に対応する積算値に基づいて、前記画像データによって指定される各画素の輝度値を補正して、前記表示パネルを駆動する駆動部と、を備えることを特徴とする表示装置が提供される。
【００１５】
この表示装置によれば、非線形量子化を用いて各画素の輝度値の積算値を記録するときのメモリ容量をおよび量子化誤差を低減することができる。
【００１６】
本発明の一実施形態によると、フレーム毎に複数の画素の輝度値を指定する画像データに基づいて各画素の輝度値を積算した積算値を表す情報を記録する記録方法であって、基準となる第１画素の輝度値を積算した積算値を記録し、前記第１画素以外の第２画素の輝度値を積算した積算値を、当該積算値と当該第２画素より前に入力された画素に対応する積算値との差分の量子化値として記録し、量子化ステップと量子化誤差とに基づいて決められるフレームにおいては前記量子化値を補正して記録することを特徴とする記録方法
記録方法が提供される。
【００１７】
この記録方法によれば、非線形量子化を用いて各画素の輝度値の積算値を記録するときのメモリ容量をおよび量子化誤差を低減することができる。
【発明の効果】
【００１８】
本発明によれば、非線形量子化を用いて各画素の輝度値の積算値を記録するときのメモリ容量をおよび量子化誤差を低減することができる。
【図面の簡単な説明】
【００１９】
【図１】本発明の一実施形態における表示装置１の構成を示すブロック図である。
【図２】本発明の一実施形態における表示パネル３０の画素配置を示す図である。
【図３】本発明の一実施形態における記録装置１０の構成を示すブロック図である。
【図４】本発明の一実施形態における記録装置１０の動作部分１を示すブロック図である。
【図５】本発明の一実施形態における記録装置１０の動作部分２を示すブロック図である。
【図６】本発明の一実施形態における読出部１２における各信号経路上の値の時間変化を示す図である。
【図７】本発明の一実施形態における記録部１１における各信号経路上の値の時間変化を示す図である。
【図８】本発明の一実施形態における記録装置１０において補正無しを想定した場合の量子化誤差の時間変化を示す図である。
【図９】本発明の一実施形態における記録装置１０における量子化誤差の時間変化を示す図である。
【図１０】本発明の一実施形態における記録装置１０における量子化誤差の時間変化を補正有無で比較した図である。
【発明を実施するための形態】
【００２０】
以下、本発明の実施形態に係る表示装置について、図面を参照しながら詳細に説明する。なお、以下に示す実施形態は本発明の実施形態の一例であって、本発明はこれらの実施形態に限定して解釈されるものではなく、種々の変形を行ない実施することが可能である。
【００２１】
＜実施形態＞
本発明の第１実施形態に係る表示装置について、図面を参照しながら詳細に説明する。
【００２２】
［全体構成］
図１は、発明の一実施形態における表示装置１の構成を示すブロック図である。表示装置１は、スマートフォン、携帯電話、パーソナルコンピュータ、テレビなどにおいて、画像を表示する装置である。表示装置１は、記録装置１０、駆動装置２０および表示パネル３０を備える。表示パネル３０は、マトリクス状に配置された画素を有し、それぞれの画素には画像を表示するための表示素子を備える。この例では、表示素子はＯＬＥＤ素子等の自発光素子である。
【００２３】
図２は、本発明の一実施形態における表示パネル３０の画素配置を示す図である。この例では、表示パネル３０は、ｍ行ｎ列のマトリクス状に配置された画素を有する。以下の説明においては、図２に示すように、ｍ行ｎ列画素をＰｍｎと示し、例えば、各行の最初の画素は、Ｐ１１、Ｐ２１、Ｐ２２、・・・、Ｐｍ１として示す。
【００２４】
図１に戻って説明を続ける。駆動装置２０は、入力された画像データに基づいて表示パネル３０を駆動する。詳細には、駆動装置２０は、表示パネル３０の各画素を駆動し、画像データによって指定される各画素の輝度値に基づいて各画素の表示素子を発光させて、画像を表示させる。このとき、駆動装置２０は、画像データに指定された各画素の輝度値を、記録装置に記録された情報を参照して補正し、補正後の輝度値（以下、補正輝度値という）に基づいて表示パネル３０を駆動する。例えば、ある画素の輝度値の積算値が大きい場合には、その画素のＯＬＥＤ素子は劣化が進んでいることになるため、同じ輝度値であっても積算値が小さい画素の輝度値よりも高い輝度値で発光するように駆動することで、積算値が小さい画素と同じ輝度になるように補正する。
【００２５】
記録装置１０は、各画素の補正輝度値が入力され、画素毎に補正輝度値を積算した値を示す積算情報を記録する。この積算情報は、各行の最初の画素に対応して算出される積算値（以下、基準積算値という場合がある）と、それ以外の画素に対応して算出される積算値（以下、差分積算値という場合がある）とで構成される。基準積算値と差分積算値とは、それぞれ異なる形式で各画素に対応する積算値を表している。
【００２６】
基準積算値は、算出対象となる画素（各行の最初の画素）の補正輝度値を積算した積算値である。各行の最初の画素とは、図２に示す各行の最も右側にある画素Ｐ１１、Ｐ２１、・・・である。差分積算値は、算出対象となる画素（各行の最初の画素以外の画素）の補正輝度値を積算した積算値を、前の画素の積算値との差分をとり、その差分を量子化した値（量子化値）としたものである。この例では、積算値を算出する対象となる画素（以下、対象画素という）の前の画素とは、画像データにおいて、その対象画素の直前に入力される画素を示し、図２の例で示す対象画素の左隣の画素である。例えば、画素Ｐ１３の前の画素は、画素Ｐ１２である。
【００２７】
記録装置１０は、このように、各行の最初の画素以外については、積算値そのものを記録するのではなく、素子間の水平方向上の左側に隣接する画素に対応する積算値との差分値を記録する方式を用いる。この方式を用いない場合に積算値の記録のために、例えば４０〜５０ビットも必要であったが、少ないビット数で表現することができるようになる。隣接する画素間の輝度の変化が少ない領域（平坦部）では、効果的である。
【００２８】
一方、隣接する画素間の輝度が大きく異なる状態が続くなど、積算値の変動幅が大きい場合、差分値のダイナミックレンジが大きいため非線形量子化が必要となる。非線形量子化は振幅に応じて量子化ステップが異なり、振幅が大きい差分値の場合、無視できない程度の量子化誤差が生じる場合がある。
【００２９】
ここで、各画素に対応する積算値は輝度値の合計を表すため、積算値の差分が大きいということは、過去に表示した画像において、同じ隣接する画素間の輝度差が共通している場合が多く存在することを意味する。つまり、同じ画素間で共通の輝度差を有する画像が高い確率で表示され、このような画像はこれからも高い確率で表示される可能性がある。仮に、これから表示する画像の中に共通の輝度差がなくても、積算値の差分が大きいという傾向がしばらく続くことが想定される。このため、非線形量子化による量子化誤差が大きければ大きいほど、積算値の差分が増えていく確率が高くなっていく。したがって、時間軸に沿って量子化誤差補正をすることが可能になる。このようにして、量子化誤差を補正することで、少ないビット数でも比較的に小さい量子化誤差で積算値の差分を表現できる。以下、記録装置１０の構成を詳細に説明する。
【００３０】
［記録装置１０の構成］
図３は、本発明の一実施形態における記録装置１０の構成を示すブロック図である。記録装置１０は、メモリ１００に積算情報を記録する記録部１１、およびメモリから積算情報を読み出す読出部１２を有する。記録部１１と読出部１２とは、加算器１３１で接続されている。加算器１３１は、対象画素の輝度値Ｌｐと読出部１２からの出力される値ｊとを加算した値ａを記録部１１に出力する。
【００３１】
記録部１１は、ディレイ（＃１）１１１、量子化部１１３、量子化誤差補正部１１５、減算器１１７、加算器１１９、およびマルチプレクサ１４１を備える。ディレイ（＃１）１１１は、入力される画像データの１画素分の期間、入力された値ａを遅延させて出力する（値ｃ）。減算器１１７は、入力された値ａから値ｃを減算して出力する（値ｂ）。すなわち、値ｂは、値ａと値ｃとの差分値となる。
【００３２】
量子化部１１３は、値ｂを非線形量子化して出力する（値ｄ）。この例では、量子化部１１３は、比較的に振幅が小さい差分値でも相応の分解能を得るために、累積値の差分に対する非線形量子化を行っている。一般的に、非線形量子化の数学モデルとして、Ｌｏｇ関数がよく使われているが、この例では、量子化部１１３は、Ｌｏｇ関数に基づいた折線近似や関数近似などを用いて量子化する。
【００３３】
差分値（値ｂ）のビット幅をｎ、量子化後のビット幅をｍとすると、Ｌｏｇ関数（１）の底ｘは、式（２）となる。
【００３４】
【数１】
2015092645.tif 000003
【００３５】
量子化誤差補正部１１５は、量子化部１１３において量子化される値ｂ、量子化部１１３から出力される値ｄ、および値ｄに量子化したときの量子化ステップを取得する。量子化誤差補正部１１５は、値ｄを逆量子化した値と値ｂとの差分から量子化誤差を算出し、量子化ステップを量子化誤差で除算した計算結果Ｋを画素毎に得る。量子化誤差補正部１１５は、計算結果Ｋに基づくフレーム毎に量子化値（値ｄ）を補正する指示をする。具体的には、量子化誤差補正部１１５は、加算器１１９に対し、画素毎に、補正をしないタイミングのフレームにおいては「０」を出力し、補正をするタイミングのフレームにおいては「１」を出力する。この補正は、平均でＫフレーム毎に「１」を加算されるようにすればよい。そのため、２×Ｋフレーム毎に「２」を加算するようにしてもよい。
【００３６】
量子化誤差が大きくなる場合は隣接する画素間で同じような輝度差が続く画像が表示されている場合が多く、上記のように補正することによって時間の経過にともなって増幅していった量子化誤差を、差分の量子化値に「１」を加算することで相殺することができる。量子化誤差の補正量は、現フレームの輝度値の積算値の差分と量子化ステップから概ね推定できるためである。具体例については、後述する。また、計算結果Ｋはフレーム毎に異なる場合であっても、計算結果Ｋの逆数（１／Ｋ）をフレーム毎に積算し、１／Ｋの積算値が所定値（例えば「１」）を越えたフレーム毎に補正が実施されるようにし、この積算値がリセットされるようにしてもよい。なお、量子化誤差補正部１１５は、各画素に対応して計算結果Ｋを得ていたが、複数の画素に対応して一つの計算結果Ｋを得ることで、複数の画素で計算結果Ｋを共用してもよい。
【００３７】
加算器１１９は、値ｄに量子化誤差補正部からの補正値Ｅｑ（上記の例では、補正有りのとき「１」、または、補正無しのとき「０」）を加算して出力する（値Ｅ）。マルチプレクサ１４１は、対象画素が各行の最初の画素である場合に入力１を出力し、それ以外の画素である場合に入力２を出力して、対象画素の積算値としてメモリ１００に記録する（値ｆ）。すなわち、値ｆは値ａ（対象画素の基準積算値）または値ｅ（対象画素の差分積算値）である。なお、上述したように、差分積算値は量子化部１１３において量子化された値であり、量子化誤差補正部１１５によって補正されている場合もある。
【００３８】
続いて、読出部１２について説明する。読出部１２は、逆量子化部１２１、ディレイ（＃２）１２３、加算器１２５、およびマルチプレクサ１４３、１４５を備える。
【００３９】
逆量子化部１２１は、メモリから読み出される値ｇ（対象画素の差分積算値）を逆量子化して出力する（値ｈ）。逆量子化部１２１は、量子化部１１３において量子化する際に用いたアルゴリズムを用いて逆量子化する。
【００４０】
ディレイ（＃２）１２３は、入力される画像データの１画素分の期間、マルチプレクサ１４３から入力された値（値ｊに相当（値ｇまたは値ｈ＋値ｉ））を遅延させて出力する（値ｉ）。加算器１２５は、入力された値ｈと値ｉとを加算して出力する。
【００４１】
マルチプレクサ１４３、１４５は、上述したマルチプレクサ１４１と同様に、対象画素が各行の最初の画素である場合に入力１（値ｇ）を出力し、それ以外の画素である場合に入力２（値ｈ＋値ｉ）を出力する。マルチプレクサ１４５からの出力は、上述したように加算器１３１に入力される値ｊである。
【００４２】
図４は、本発明の一実施形態における記録装置１０の動作部分１を示すブロック図である。図５は、本発明の一実施形態における記録装置１０の動作部分２を示すブロック図である。動作部分１は、対象画素が各行の最初の画素である場合に動作する記録装置１０の部分であり、上述したマルチプレクサ１４１、１４３、１４５の入力１が有効である状態で動作する部分を示している。一方、動作部分２は、対象画素がそれ以外の画素である場合に動作する記録装置１０の部分であり、上述したマルチプレクサ１４１、１４３、１４５の入力２が有効である状態で動作する部分を示している。そして、動作している部分を実線で示し、動作していない部分を破線で示している。
【００４３】
［記録装置１０の動作］
続いて、記録装置１０の動作として、各信号経路上の値の時間変化を説明する。図６は、本発明の一実施形態における読出部１２における各信号経路上の値の時間変化を示す図である。図７は、本発明の一実施形態における記録部１１における各信号経路上の値の時間変化を示す図である。
【００４４】
ｔは、時間の経過を示し、記録装置１０にｔ＋１番目の画素の輝度値が入力されている期間を示している。そのため、記録装置１０に入力されている輝度値が、例えば、ｔ＝０においては各行の最初の画素（例えば画素Ｐ１１）の輝度値、ｔ＝１においては２番目の画素（例えば画素Ｐ１２）の輝度値に対応する。ここでは、時間変化はｔ＝０から３までを例として示した。
【００４５】
また、図６、図７においては、ｓフレーム目の画素の輝度値が入力された場合の例を示している。したがって、読出部１２における各値については、その前のフレームであるｓ−１フレーム目までにメモリ１００に記録された情報が読み出されている。図６、図７に示す各パラメータは以下のように定義される。
【００４６】
「Ｌｔｓ」
ｓフレーム目までのｔ＋１番目の画素に対応する積算値
【００４７】
「Ｌｒｔｓ」
量子化・逆量子化を経て計算されたｓフレーム目までのｔ＋１番目の画素に対応する積算値「Ｑ−１［Ｃｔｓ］」に対して、ｓフレーム目までのｔ番目の画素に対応する積算値Ｌｔ−１ｓを加算した値
【００４８】
この値「Ｌｒｔｓ」は、駆動装置２０が表示パネル３０を駆動するときのｔ＋１番目の画素の輝度値（ｓ＋１フレーム）を補正する情報となる。
【００４９】
「Ｌｔ」
ｓフレーム目のｔ＋１番目の画素の輝度値（Ｌｐに相当）
【００５０】
「Ｄｔｓ」
ｓフレーム目のｔ番目に対応する積算値「Ｌｔ−１ｓ」とｔ＋１番目の画素に対応する積算値「Ｌｔｓ」との差分
【００５１】
「Ｃｔｓ」
「Ｄｔｓ」を量子化した値「Ｑ［Ｄｔｓ］」に誤差補正値「Ｅｑ」（量子化誤差補正部１１５から出力される値）を加算した値
【００５２】
［量子化誤差補正の効果］
続いて、記録装置１０における量子化誤差を補正する効果を、具体例を用いて説明する。
【００５３】
図８は、本発明の一実施形態における記録装置１０において補正無しを想定した場合の量子化誤差の時間変化を示す図である。図９は、本発明の一実施形態における記録装置１０における量子化誤差の時間変化を示す図である。図８、９は、画素Ｐ１１と画素Ｐ１２についての積算値について、フレームｎから２０フレーム経過するまでの各パラメータの変化を示している。ここでは、画素Ｐ１１の輝度値を「１００」、画素Ｐ１２の輝度値を「３００」とし、この状態が続く場合として説明している。図８、図９に示す各パラメータは以下のように定義される。
【００５４】
「Ｓｕｍ１」
画素Ｐ１１の輝度値の積算値（Ｌ０ｓに対応、ｎフレーム目までの積算値が「２０００」と仮定）
【００５５】
「Ｓｕｍ２」
画素Ｐ１２の輝度値の積算値の理想値（ｎフレーム目までの積算値が「４０００」と仮定）
【００５６】
「Ｓｕｍ２ｒ」
前フレームの「Ｑ−１［ｄｉｆｆ］」（メモリ１００に記録された差分積算値を逆量子化した値）を前フレームの「Ｓｕｍ１」に加算することにより得られる前フレームまでの画素Ｐ１２に対応する積算値（Ｌ１ｓ−１に対応）から、画素Ｐ１２の輝度値「３００」を加算した値（Ｌ１ｓに対応）
【００５７】
「ｄｉｆｆ」
「Ｓｕｍ２ｒ」から「Ｓｕｍ１」を減算した値（Ｄ１ｓに対応）
【００５８】
「Ｑ［ｄｉｆｆ］」
「ｄｉｆｆ」を量子化した値（Ｑ［Ｄ１ｓ］に対応、この例では量子化ステップを「１０２４」とした）
【００５９】
「Ｑ−１［ｄｉｆｆ］」
「Ｑ［ｄｉｆｆ］」を逆量子化した値
【００６０】
「Ｃｏｍｐｅｎ」
量子化誤差補正部１１５から出力された値（補正値Ｅｑに対応）
【００６１】
「Ｅｒｒ」
「Ｓｕｍ２」から「Ｓｕｍ２ｒ」を減算した値、すなわち、積算値の理想値と記録した積算値とがどの程度の誤差を有するかの指標（「ｄｉｆｆ」から「Ｑ−１［ｄｉｆｆ］」を減算した値（各フレームの量子化誤差）をフレーム毎に積算していった値に相当）
【００６２】
「Ｃｏｍｐｅｎ」は、図８では「０」のままである一方、図９では５フレーム毎に「１」になる。５フレーム毎に補正するのは、各フレームの量子化誤差が「２００＝１２２４−１０２４」であり、量子化ステップが「１０２４」であり、「５．１２＝１０２４／２００」となるためである。
【００６３】
図１０は、本発明の一実施形態における記録装置１０における量子化誤差の時間変化を補正有無で比較した図である。図１０に示すように、量子化誤差の補正が行われない場合には、時間の経過に伴って量子化誤差が積算されていき、誤差が増大し続けている。一方、時間の経過に伴って所定期間毎（図１０の矢印部分のフレーム）に量子化誤差の補正を行うことにより量子化誤差が相殺されて、一定程度（概ね量子化ステップの範囲）までの増加で抑えることができる。
【００６４】
このように、本発明の一実施形態は、各画素の輝度値を積算するときに、メモリ１００から前フレームまでの積算値を読み出し、現フレームの輝度値を積算した後に、新たな積算値をメモリ１００に書き戻す。このとき、各行の最初の画素に対応する積算値をそのままメモリ１００に記録する。一方、その他の画素については、積算値そのものをメモリに転送、保存することにより記録するのではなく、積算値の水平方向に隣接する画素に対応する積算値の差分をとり、この差分を量子化した差分積算値をメモリ１００に記録する。
【００６５】
量子化によって生じる誤差については、量子化ステップと量子化誤差に基づいて決められた時間が経過する度に差分積算値の量子化値を補正することにより、量子化誤差が増加し続けてしまうことを抑制することができる。ディスプレイの表示においては、量子化誤差が大きくなってしまうのは隣接する画素間で同じような輝度差が続く画像が表示されている場合が多いため、このような補正方法を適用して量子化誤差を低減することができる。
【００６６】
このように、本発明の一実施形態においては、各画素に輝度値の積算値を記録しても、少ないメモリ容量で実現することができ、さらに実フレームレートでの補正を行うこともできる。例えば、Ｆｕｌｌ−ＨＤサイズの画素に対応する積算値を十数年程度行うために、例えば、従来は画素毎の積算値保存に４８ビットが必要となり、積算値を量子化しない場合の総容量はおよそ９５Ｍビットであり、１２８Ｍビットのメモリデバイスを搭載する必要がある。一方、本発明の差分積算値を量子化し、量子化誤差を補正する方法によって、差分値の保存は例えば１６ビットまで低減でき、総容量が３２Ｍビットを超えないため、３２Ｍビットのメモリデバイスが搭載可能になる。
【符号の説明】
【００６７】
１…表示装置、１０…記録装置、１１…記録部、１２…読出部、２０…駆動装置、３０…表示パネル、１００…メモリ、１１１…ディレイ（＃１）、１１３…量子化部、１１５…量子化誤差補正部、１１７…減算器、１１９…加算器、１２１…逆量子化部、１２３…ディレイ（＃２）、１２５…加算器、１３１…加算器、１４１，１４３，１４５…マルチプレクサ
【図１】
2015092645.tif 000004
【図２】
2015092645.tif 000005
【図３】
2015092645.tif 000006
【図４】
2015092645.tif 000007
【図５】
2015092645.tif 000008
【図６】
2015092645.tif 000009
【図７】
2015092645.tif 000010
【図８】
2015092645.tif 000011
【図９】
2015092645.tif 000012
【図１０】
2015092645.tif 000013